(57)【要約】【課題】過去の補正値算出に用いたテストパターンが形成された記録媒体が、読取手段に誤ってセットされるのを抑制することができる画像形成装置を提供する。【解決手段】記録媒体上に画像を形成する画像形成手段と、記録媒体上に形成された画像を読み取る読取手段と、画像形成手段により前記記録媒体に形成されたテストパターンを読取手段により読み取り、読み取ったテストパターンの画像データに基づいて画像を最適化するための所定の補正値を算出する補正値算出手段と、を有する画像形成装置において、テストパターンを含む画像は、テストパターンが形成される毎または画像の最適化処理を行う毎に変化する特徴部１７４を有する。【選択図】図１５
2019124893.tif 000002
【特許請求の範囲】
【請求項１】
記録媒体上に画像を形成する画像形成手段と、
前記記録媒体上に形成された画像を読み取る読取手段と、
前記画像形成手段により前記記録媒体に形成されたテストパターンを前記読取手段により読み取り、読み取った前記テストパターンの画像データに基づいて前記画像を最適化するための所定の補正値を算出する補正値算出手段と、を有する画像形成装置において、
前記テストパターンを含む画像は、前記テストパターンが形成される毎または前記画像の最適化処理を行う毎に変化する特徴部を有することを特徴とする画像形成装置。
【請求項２】
請求項１に記載の画像形成装置において、
前記テストパターンを含む画像の画像データに基づいて、今回の補正値算出に用いるべきテストパターンが形成された記録媒体が、前記読取手段にセットされたか否かを判断し、今回の補正値算出に用いるべきテストパターンが形成された記録媒体でない場合は、今回の補正値算出に用いるべきテストパターンが形成された記録媒体が、前記読取手段にセットされていない旨をユーザーに報知する報知手段を備えたことを特徴とする画像形成装置。
【請求項３】
請求項２に記載の画像形成装置において、
前記特徴部が、前記テストパターンが形成されたタイミングを示す情報をコード化した画像を含むことを特徴とする画像形成装置。
【請求項４】
請求項１乃至３いずれか一項に記載の画像形成装置において、
前記特徴部が、前記テストパターンの形成回数または前記画像の最適化処理の回数を示す数字を含むことを特徴とする画像形成装置。
【請求項５】
請求項１または２に記載の画像形成装置において、
前記特徴部が、前記テストパターンの形成位置を含むことを特徴とする画像形成装置。
【請求項６】
請求項５に記載の画像形成装置において、
前記テストパターンの形成位置が、前記テストパターンの副走査方向の位置であることを特徴とする画像形成装置。
【請求項７】
請求項１乃至６いずれか一項に記載の画像形成装置において、
前記画像形成手段は、潜像担持体の表面を露光して前記潜像担持体に潜像を形成する潜像形成手段と、前記潜像を現像する現像手段と、前記現像手段により現像された画像を、搬送手段により搬送されてきた記録媒体に転写する転写手段とを備え、
前記補正値算出手段は、読み取った前記テストパターンの画像データに基づいて前記露光の光量を補正する露光補正値を算出することを特徴とする画像形成装置。
【発明の詳細な説明】
【技術分野】
【０００１】
本発明は、画像形成装置に関するものである。
【背景技術】
【０００２】
従来、記録媒体上に画像を形成する画像形成手段と、記録媒体上に形成された画像を読み取る読取手段と、画像形成手段により記録媒体に形成されたテストパターンを読取手段により読み取り、読み取ったテストパターンの画像データに基づいて画像を最適化するための所定の補正値を算出する補正値算出手段と、を有する画像形成装置が知られている。
【０００３】
特許文献１には、上記画像形成装置として、記録媒体たるシートに形成したテストパターンを読取手段たるスキャナで読み取り、スキャナで読み取ったテストパターンの画像濃度に基づいて、露光補正値を求め、求めた露光補正値に基づいて潜像形成手段としてのＬＥＤアレイの各ＬＥＤ素子の駆動を制御し、ＬＥＤの並び方向である主走査方向の濃度ムラを抑制して、画像を最適化するものが記載されている。
【発明の概要】
【発明が解決しようとする課題】
【０００４】
しかしながら、ユーザーの手元にテストパターンが形成されたシートが複数ある場合、今回の補正値算出のために出力したテストパターンが形成されたシートか、過去の補正値算出に用いたテストパターンが形成されたシートかを判別することができないことがある。その結果、過去の補正値算出に用いたテストパターンが形成されたシートを、ユーザーが誤って読取手段にセットするおそれがあった。
【課題を解決するための手段】
【０００５】
上述した課題を解決するために、本発明は、記録媒体上に画像を形成する画像形成手段と、前記記録媒体上に形成された画像を読み取る読取手段と、前記画像形成手段により前記記録媒体に形成されたテストパターンを前記読取手段により読み取り、読み取った前記テストパターンの画像データに基づいて前記画像を最適化するための所定の補正値を算出する補正値算出手段と、を有する画像形成装置において、前記テストパターンを含む画像は、前記テストパターンが形成される毎または前記画像の最適化処理を行う毎に変化する特徴部を有することを特徴とするものである。
【発明の効果】
【０００６】
本発明によれば、過去の補正値算出に用いたテストパターンが形成された記録媒体が、読取手段に誤ってセットされるのを抑制することができる。
【図面の簡単な説明】
【０００７】
【図１】実施形態に係る画像形成装置を示す概略構成図。
【図２】本画像形成装置における感光体１とその周囲の構成とを拡大して示す拡大構成図。
【図３】潜像書込装置と感光体とを示す斜視図。
【図４】退避機構の概略構成図。
【図５】主走査方向の濃度ムラ補正制御の電気回路の一部を示すブロック図。
【図６】主走査方向の濃度ムラ取得制御の制御フロー図。
【図７】（ａ）第一光量補正値の一例を示すグラフであり、（ｂ）は、第一光量補正値に基づいて、各ＬＥＤ素子を制御したときの主走査方向の光量分布を示すグラフ。
【図８】記録シートに形成されるテストパターンの一例を示す図。
【図９】本実施形態の画像形成処理の制御フロー図。
【図１０】（ａ）は、記憶部に記憶されている濃度データの一例を示したグラフであり、（ｂ）は、濃度データ（実線）と濃度平均値（破線）と第二光量補正値（一点鎖線）とを示したグラフ。
【図１１】（ａ）第一光量補正値（破線）と第二光量補正値（一点鎖線）と第三光量補正値（実線）との関係を例示するグラフであり、（ｂ）は、第三光量補正値に基づいてテストパターンの潜像を形成したときのテストパターンの濃度を示すグラフ。
【図１２】変形例の主走査方向濃度ムラ補正制御の制御フロー図。
【図１３】実施例に係る電気回路の一部を示すブロック図。
【図１４】実施例に係る主走査方向の濃度ムラ取得制御の制御フロー図。
【図１５】記録シートにテストパターンとカウント値とを形成した一例を示す図。
【図１６】記録シートにテストパターンとカウント値とバーコードとを形成した一例を示す図。
【図１７】記録シートにテストパターンとカウント値とＱＲコード（登録商標）とを形成した一例を示す図。
【図１８】テストパターンの形成を行う毎にテストパターンの副走査方向（図中ｙ方向）の形成位置を変更した一例を示す図。
【発明を実施するための形態】
【０００８】
以下、本発明を適用した電子写真方式で画像を形成する電子写真方式の画像形成装置について説明する。
【０００９】
まず、実施形態に係る画像形成装置の基本的な構成について説明する。図１は、実施形態に係る画像形成装置を示す概略構成図である。同図において、本画像形成装置は、潜像担持体としての感光体１や、本体筐体５０に対して着脱可能に構成された給紙カセット１００などを備えている。給紙カセット１００の内部には、複数の記録媒体たる記録シートＳをシート束の状態で収容している。
【００１０】
給紙カセット１００内の記録シートＳは、後述する給送ローラ３５の回転駆動によってカセット内から送り出されて、後述する分離ニップを経た後に給送路４２内に至る。その後、一対の給送中継ローラ４１の搬送ニップに挟み込まれて、給送路４２内を搬送方向の上流側から下流側に向けて搬送される。給送路４２の末端付近には、一対のレジストローラ４９が配設されている。記録シートＳは、このレジストローラ４９のレジストニップに先端を突き当てた状態で搬送が一時中止される。その突き当ての際、記録シートＳのスキューが補正される。
【００１１】
レジストローラ４９は、記録シートＳを後述する転写ニップで感光体１の表面のトナー像に重ね合わせ得るタイミングで回転駆動を開始して、記録シートＳを転写ニップに向けて送り出す。この際、給送中継ローラ４１が同時に回転駆動を開始して、一時中止していた記録シートＳの搬送を再開する。
【００１２】
本体筐体５０の上部には、画像読取部６０が取り付けられている。また、画像読取部６０には、自動原稿搬送装置６１が取り付けられている。自動原稿搬送装置６１は、原稿トレイ６１ａに載置された原稿束から原稿を１枚ずつ分離して画像読取部６０上のコンタクトガラスに自動給紙するものである。画像読取部６０は、自動原稿搬送装置６１によってコンタクトガラス上に搬送された原稿を読み取る。
【００１３】
図２は、本画像形成装置における感光体１とその周囲の構成とを拡大して示す拡大構成図である。図中反時計回り方向に回転駆動せしめられるドラム状の感光体１の周囲には、回収スクリュウ３、クリーニングブレード２、帯電ローラ４、潜像形成手段たる潜像書込装置７、現像手段たる現像装置８、転写手段たる転写ローラ１０などが配設されている。導電性ゴムローラ部を具備する帯電ローラ４は、感光体１に接触しながら回転して帯電ニップを形成している。この帯電ローラ４には、電源から出力される帯電バイアスが印加されている。これにより、帯電ニップにおいて、感光体１の表面と帯電ローラ４の表面との間で放電が発生することで、感光体１の表面が一様に帯電せしめられる。
【００１４】
潜像書込装置７は、ＬＥＤアレイを具備しており、感光体１の一様帯電した表面に対して、パーソナルコンピュータから入力される画像データや、画像読取部６０によって読み取った原稿の画像データに基づくＬＥＤ光による光照射を行う。感光体１の一様帯電した地肌部のうち、光照射された領域は、電位を減衰させる。これにより、感光体１の表面に静電潜像が形成される。
【００１５】
静電潜像は、感光体１の回転駆動に伴って、現像装置８に対向する現像領域を通過する。現像装置８は、循環搬送部や現像部を有しており、循環搬送部には、トナーと磁性キャリアとを含有する現像剤を収容している。循環搬送部は、後述する現像ローラ８ａに供給するための現像剤を搬送する第１スクリュウ８ｂや、第１スクリュウ８ｂの直下に位置する独立した空間で現像剤を搬送する第２スクリュウ８ｃを有している。更には、第２スクリュウ８ｃから第１スクリュウ８ｂへの現像剤の受け渡しを行うための傾斜スクリュウ８ｄも有している。現像ローラ８ａ、第１スクリュウ８ｂ、及び第２スクリュウ８ｃは、互いに平行な姿勢で配設されている。これに対し、傾斜スクリュウ８ｄは、それらから傾いた姿勢で配設されている。
【００１６】
第１スクリュウ８ｂは、自らの回転駆動に伴って現像剤を同図の紙面に直交する方向における奥側から手前側に向けて搬送する。この際、自らに対向配設された現像ローラ８ａに一部の現像剤を供給する。第１スクリュウ８ｂによって同図の紙面に直交する方向における手前側の端部付近まで搬送された現像剤は、第２スクリュウ８ｃの上に落とし込まれる。
【００１７】
第２スクリュウ８ｃは、現像ローラ８ａから使用済みの現像剤を受け取りながら、受け取った現像剤を自らの回転駆動に伴って同図の紙面に直交する方向における奥側から手前側に向けて搬送する。第２スクリュウ８ｃによって同図の紙面に直交する方向における手前側の端部付近まで搬送された現像剤は、傾斜スクリュウ８ｄに受け渡される。そして、傾斜スクリュウ８ｄの回転駆動に伴って、同図の紙面に直交する方向における手前側から奥側に向けて搬送された後、同方向における奥側の端部付近で、第１スクリュウ８ｂに受け渡される。
【００１８】
現像ローラ８ａは、筒状の非磁性部材からなる回転可能な現像スリーブと、現像スリーブに連れ回らないようにスリーブ内に固定されたマグネットローラとを具備している。そして、第１スクリュウ８ｂによって搬送されている現像剤の一部をマグネットローラの発する磁力によって現像スリーブの表面で汲み上げる。現像スリーブの表面に担持された現像剤は、現像スリーブの表面に連れ周りながら、スリーブとドクターグレードとの対向位置を通過する際に、その層厚が規制される。その後、感光体１に対向する現像領域で、感光体１の表面に摺擦しながら移動する。
【００１９】
現像スリーブには、トナーや感光体１の地肌部電位と同極性の現像バイアスが印加されている。この現像バイアスの絶対値は、潜像電位の絶対値よりも大きく、且つ、地肌部電位の絶対値よりも小さくなっている。このため、現像領域においては、感光体１の静電潜像と現像スリーブとの間にトナーをスリーブ側から潜像側に静電移動させる現像ポテンシャルが作用する。この一方で、感光体１の地肌部と現像スリーブとの間には、トナーを地肌部側からスリーブ側に静電移動させる地肌ポテンシャルが作用する。これにより、現像領域では、感光体１の静電潜像にトナーが選択的に付着して静電潜像が現像される。
【００２０】
現像領域を通過した現像剤は、現像スリーブの回転に伴って、スリーブと第２スクリュウ８ｃとの対向領域に進入する。この対向領域では、マグネットローラに具備される複数の磁極のうち、互いに極性の異なる２つの磁極によって反発磁界が形成されている。対向領域に進入した現像剤は、反発磁界の作用によって現像スリーブ表面から離脱して、第２スクリュウ８ｃ上に回収される。
【００２１】
傾斜スクリュウ８ｄによって搬送される現像剤は、現像ローラ８ａから回収された現像剤を含有しており、その現像剤は現像領域で現像に寄与していることからトナー濃度を低下させている。現像装置８は、傾斜スクリュウ８ｄによって搬送される現像剤のトナー濃度を検知するトナー濃度センサーを具備している。トナー濃度センサーによる検知結果に基づいて、必要に応じて、傾斜スクリュウ８ｄによって搬送される現像剤にトナーを補給するための補給動作を実行する。
【００２２】
現像装置８の上方には、トナーカートリッジ９が配設されている。このトナーカートリッジ９は、内部に収容しているトナーを、回転軸部材９ａに固定されたアジテータ９ｂによって撹拌している。そして、トナー補給部材９ｃが本体制御部５２（図５参照）から出力される補給動作信号に応じて回転駆動されることで、回転駆動量に応じた量のトナーを現像装置８の第１スクリュウ８ｂに補給する。
【００２３】
現像によって感光体１上に形成されたトナー像は、感光体１の回転に伴って、感光体１と、転写手段たる転写ローラ１０とが当接する転写ニップに進入する。転写ローラ１０には、感光体１の潜像電位とは逆極性の帯電バイアスが印加されており、これにより、転写ニップ内には転写電界が形成されている。
【００２４】
上述したように、レジストローラ４９は、記録シートＳを転写ニップ内で感光体１上のトナー像に重ね合わせうるタイミングで転写ニップに向けて送り出す。転写ニップでトナー像に密着せしめられた記録シートＳには、転写電界やニップ圧の作用により、感光体１上のトナー像が転写される。
【００２５】
転写ニップを通過した後の感光体１の表面には、記録シートＳに転写されなかった転写残トナーが付着している。この転写残トナーは感光体１に当接しているクリーニングブレード２によって感光体１の表面から掻き落とされた後、回収スクリュウ３により、ユニットケーシングの外に向けて送られる。ユニットケーシングから排出された転写残トナーは、廃トナー搬送装置によって廃トナーボトルに送られる。
【００２６】
クリーニングブレード２によってクリーニングされた感光体１の表面は、除電手段によって除電された後、帯電ローラ４によって再び一様に帯電せしめられる。感光体１の表面に当接している帯電ローラ４には、トナー添加剤や、クリーニングブレード２で除去し切れなかったトナーなどの異物が付着する。この異物は、帯電ローラ４に当接しているクリーニングローラ５に転移した後、クリーニングローラ５に当接しているスクレーパー６によってクリーニングローラ５の表面から掻き落とされる。掻き落とされた異物は、上述した回収スクリュウ３の上に落下する。
【００２７】
図１において、感光体１と転写ローラ１０とが当接する転写ニップを通過した記録シートＳは、定着装置４４に送られる。定着装置４４は、ハロゲンランプ等の発熱源を内包する定着ローラ４４ａと、これに向けて押圧される加圧ローラ４４ｂとの当接によって定着ニップを形成している。定着ニップに挟み込まれた記録シートＳの表面には、加熱や加圧の作用によってトナー像が定着せしめられる。その後、定着装置４４を通過した記録シートＳは、排紙路４５を経た後、排紙ローラ４６の排紙ニップに挟み込まれ、排紙ローラ４６により機外へ排出される。排出された記録シートＳは、本体筐体５０の上面に設けられたスタック部５１にスタックされる。
【００２８】
図３は、潜像書込装置７と感光体１とを示す斜視図である。
潜像書込装置７が備えるＬＥＤアレイは、焦点距離が短いため、図３に示すように、潜像書込装置７を感光体１に近接配置する必要がある。本実施形態においては、感光体１、帯電ローラ４、現像装置８、クリーニングブレード２などを一体的に構成したプロセスカートリッジとして、本体筐体５０から着脱可能に構成している。図３に示すように、潜像書込装置７を感光体１に近接配置するため、プロセスカートリッジを装置本体に対して着脱するとき邪魔となる。そのため、本実施形態においては、感光体１に近接した潜像形成位置と、感光体１から離間した退避位置との間を、潜像書込装置７を移動させる退避機構を備えている。
【００２９】
図４は、退避機構２００の概略構成図である。図４は、潜像書込装置７が感光体１に潜像を形成する潜像形成位置に位置しているときを示している。
図４に示すように、退避機構２００は、装置本体に回動自在に支持された第一リンク部材２０１と、潜像書込装置７を保持し、装置本体に回動自在に支持された第二リンク部材２０２とを備えている。また、第一リンク部材２０１と第二リンク部材２０２とを連結する連結手段としての連結機構２０３を備えている。
【００３０】
連結機構２０３は、第一連結部材２０３ａと、第二連結部材２０３ｂとを有している。第一連結部材２０３ａは、一端が第一リンク部材２０１に回動自在に支持され、他端が、連結軸２０３ｃに回動自在に支持されている。また、第二連結部材２０３ｂは、一端が連結軸２０３ｃに回動自在に支持され、他端が第二リンク部材２０２に回動自在に支持されている。連結軸２０３ｃは、カバー部材２０５に設けられた図中左右に延びる連結案内孔２０５ａを貫通している。
【００３１】
第二リンク部材２０２は、潜像書込装置７のＬＥＤアレイ７４を保持するホルダ７５の長手方向両端部に設けられた支持突起７２が貫通し、第二リンク部材２０２の回動の支点Ａ１に向かって延びる長孔状の支持孔２０２ａが設けられている。潜像書込装置７の支持突起７２がこの支持孔２０２ａを貫通することにより、潜像書込装置７が退避機構２００に支持される。また、支持突起７２は、カバー部材２０５に設けられたガイド部たる露光案内孔２０５ｂを貫通している。また、潜像書込装置７のホルダ７５には、案内突起７３が設けられており、この案内突起７３も、露光案内孔２０５ｂを貫通している。
【００３２】
第一リンク部材２０１は、中心角が略９０°の扇形状をしており、第一リンク部材２０１の円周方向一端に第一連結部材２０３ａが回動自在に支持されている。第一リンク部材２０１の円周方向他端には、ボス部２０１ａが設けられている。
【００３３】
第二リンク部材２０２には、付勢手段としてトーションスプリング２０４の一端を引っ掛けるための引っ掛け部２０２ｂが設けられている。トーションスプリング２０４は、一端がこの引っ掛け部２０２ｂに引っ掛けられて、他端をカバー部材２０５に引っ掛けられることで、第二リンク部材２０２を図中矢印Ｓ方向に付勢している。
【００３４】
このトーションスプリング２０４の付勢力により、第二リンク部材２０２及び連結軸２０３ｃ（第一、二連結部材ａ，ｂ）は、第一リンク部材２０１側へ移動するような力を受ける。このとき、第一リンク部材２０１の回動の支点Ａ２と連結軸２０３ｃとを結んだ線分Ａよりも第一連結部材２０３ａの第一リンク部材支持位置Ａ３が図中下側にある。その結果、連結軸２０３ｃの第一リンク部材２０１側へ移動するような力によって、支持位置Ａ３に矢印Ｔ１方向に移動させようとする力が生じ、第一リンク部材２０１が、図中反時計回りに回動させようとする力が生じる。これにより潜像書込装置７を感光体１側へ付勢させ、潜像形成位置に位置させている。
【００３５】
プロセスカートリッジを着脱するための本体筐体５０の開閉カバーを開いていくと、開閉カバーに設けられた引っ掛けレバーが、第一リンク部材２０１のボス部２０１ａに当接し、第一リンク部材１０１がトーションスプリング２０４の付勢力に抗して図中時計回りに回動する。トーションスプリング２０４の付勢力に抗して第一リンク部材２０１を回動させていき、第一リンク部材２０１の回転の支点Ａ２と、連結軸２０３ｃとを結ぶ線分Ａ上に第一リンク部材１０１の第一連結部材支持位置Ａ３よりも上方に移動すると、トーションスプリング２０４の付勢力による第一リンク部材１０１を回転させようとする方向が、図中反時計回りから、図中時計回りに切り替わる。その結果、第一リンク部材２０１が、トーションスプリング２０４の付勢力により潜像書込装置７を退避位置へ移動させる回動方向（図中反時計回り）に自動的に回転し、潜像書込装置７を退避位置へ移動させる。
【００３６】
ＬＥＤアレイ７４においては、各ＬＥＤ素子７４ｂの形状、特性等にばらつきがあったり、ＬＥＤチップの配列に微小なズレがあったり、レンズアレイの光学特性に周期的又は非周期的な変化があったりすることにより、各ＬＥＤ素子７４ｂに同一の駆動電力を印加しても発光光量が同一とならない。その結果、記録シートＳに形成された画像に、記録シートＳの幅方向（以下、主走査方向という）に濃度ムラが生じる。このように、主走査方向に濃度ムラがあると、記録シートＳの搬送方向（以下、副走査方向という）に延びる縦スジ、縦帯等が発生し、画像品質が低下しまう。
【００３７】
そこで、予め所定の装置を用いて、各ＬＥＤ素子７４ｂの光量を測定し、各ＬＥＤ素子７４ｂが同じ発光光量となるように、各ＬＥＤ素子７４ｂに印加する駆動電力を補正する第一の光量補正値を求め記憶しておく。そして、かかる第一の光量補正値に基づいて、ＬＥＤアレイ７４を制御することで、ＬＥＤアレイ７４に起因する主走査方向の濃度ムラを抑えることができる。
【００３８】
しかし、主走査方向の濃度ムラは、ＬＥＤアレイ７４に起因するだけではなく、感光体１、帯電ローラ４、現像装置８、転写ローラ１０、定着装置４４などの作像エンジンを起因にして発生する場合がある。そこで、本実施形態においては、作像エンジンを起因にして発生する主走査方向の濃度ムラを解消するために、第一の光量補正値に基づいてＬＥＤアレイ７４を制御してテストパターンを記録シートＳに形成し、記録シートＳに形成したテストパターンを画像読取部６０で読み取る。次に、画像読取部６０で読み取った読み取りデータに基づいて、作像エンジンを起因にして発生する主走査方向の濃度ムラを求める。次に、求めた主走査方向の濃度ムラに基づいて、各ＬＥＤ素子の発光光量（印加電力）を補正する第二の光量補正値を算出する。そして、ＬＥＤアレイ７４に起因する主走査方向の濃度ムラを抑える第一の光量補正値と、作像エンジンを起因にして発生する主走査方向の濃度ムラを抑える第二の光量補正値とに基づいて、第三の光量補正値を算出する。画像形成時は、この第三の光量補正値に基づいて、ＬＥＤアレイ７４を制御して感光体１に潜像を書き込むことにより、ＬＥＤアレイ７４に起因する主走査方向の濃度ムラ、作像エンジンを起因に起因する主走査方向の濃度ムラの両方が抑えられた、良好な画像を形成できるようにしている。
【００３９】
図５は、主走査方向の濃度ムラ補正制御の電気回路の一部を示すブロック図である。
図５に示すように、潜像書込装置７が備えるＬＥＤアレイ７４には、主走査方向に並べて配置された複数のＬＥＤ素子７４ｂ、各ＬＥＤ素子を駆動するためのＩＣ（Integrated  Circuit）ドライバ７４ａ、ＬＥＤアレイ７４の発光光量のバラツキを補正するための第一光量補正値を記憶するＲＯＭ（Read  Only  Memory）７４ｃを有している。
【００４０】
画像形成装置の全体の制御を司る本体制御部５２には、画像読取部６０で読み取った記録シートＳに形成したテストパターンの読み取りデータに基づいて、主走査方向の画像濃度情報を取得する画像濃度取得部８６、画像濃度取得部８６により取得された画像濃度情報を示す濃度データを記憶する記憶部８７、記憶部８７に記憶された画像濃度情報に基づいて、各ＬＥＤ素子の発光光量を補正する第二光量補正値を算出する光量補正値算出部８８を有している。
【００４１】
また、本体制御部５２には、ＬＥＤアレイ７４から、第一光量補正値を取得する第一光量補正値取得部８５、第一光量補正値取得部８５で取得した第一光量補正値と、光量補正値算出部８８で算出した第二光量補正値とに基づいて、画像形成時に用いる第三光量補正値を演算する演算部８２も備えている。また、本体制御部５２は、画像形成時に、演算部８２で演算した第三光量補正値をＬＥＤアレイ７４へ転送する補正値転送部８３を有している。また、本体制御部５２は、感光体１、帯電ローラ４、現像装置８、転写ローラ１０、定着装置４４などの作像エンジンを制御して、記録シートＳに画像を形成する画像形成処理部８４を備えている。この画像形成処理部８４は、記録シートＳにテストパターンを形成する制御も行うものであり、後述するように、長さ情報取得手段たる操作表示部８９が取得した記録シートの副走査方向長さ情報と、記録シートを搬送する搬送部材間の記録シート搬送距離とに基づいて、テストパターンを形成する位置や、テストパターンの副走査方向長さを設定するものである。
【００４２】
図６は、主走査方向の濃度ムラ取得制御の制御フロー図である。
まず、本体制御部５２の第一光量補正値取得部８５が、ＬＥＤアレイ７４のＲＯＭ７４ｃに記憶されている第一光量補正値を取得する（Ｓ１）。かかる第一光量補正値は、上述したように、予め所定の装置を用いて、ＬＥＤアレイ７４の各ＬＥＤ素子の光量を測定し、各ＬＥＤ素子が同じ発光光量となるように、各ＬＥＤ素子７４ｂに印加する駆動電力を補正するデータである。
【００４３】
次に、本体制御部５２は、取得した第一光量補正値を、補正値転送部８３によりＬＥＤアレイ７４のＩＣドライバ７４ａへ転送する（Ｓ２）。また、画像形成処理部８４は、作像エンジンを構成する各装置に制御信号を送信して、テストパターンの形成する画像形成処理を実行する（Ｓ３）。ＬＥＤアレイ７４のＩＣドライバ７４ａは、画像形成処理部８４から制御信号と、テストパターンデータとを受信したら、補正値転送部８３から受信した第一光量補正値に基づいて各ＬＥＤ素子７４ｂを制御し、感光体１の表面にテストパターンの潜像を形成する。また、後述するように、設定したテストパターンの形成位置や副走査方向長さに基づいて、ＬＥＤアレイ７４の照射タイミングや、照射終了タイミングを制御する。
【００４４】
図７（ａ）は、第一光量補正値の一例を示すグラフであり、図７（ｂ）は、第一光量補正値に基づいて、各ＬＥＤ素子７４ｂを制御したときの主走査方向の光量分布を示すグラフである。
図７（ａ）に示すように、主走査方向において、光量補正値が大きい箇所は、発光光量が少ない箇所である。よって、かかる箇所では光量補正値（駆動電力）を大きくし、光量を基準の光量にする。一方、光量補正値（補正駆動電力）が小さい箇所は、発光光量が多い箇所である。よって、かかる箇所では光量補正値（補正駆動電力）を小さくして、光量を基準の光量にする。これにより、図７（ｂ）に示すように、発光光量が、主走査方向でほぼ均一にすることができる。
【００４５】
その後、そのテストパターンの潜像が現像装置８により現像され、転写ローラ１０により記録シートＳの所定の位置に転写され、定着装置４４により記録シートＳに定着される。そして、このテストパターンが形成された記録シートＳが排出されて印刷が終了したら（Ｓ４のＹｅｓ）、テストパターンの濃度データの取得処理に移行する（Ｓ５）。
【００４６】
図８は、記録シートＳに形成されるテストパターン１７１の一例を示す図である。
図８に示すように、テストパターン１７１は記録シートＳの副走査方向（搬送方向）及び主走査方向（幅方向）の全てに均一なハーフトーンの画像である。テストパターンをハーフトーン画像とすることで、規定の明るさより明るく（画像濃度が薄く）なる箇所、規定の明るさより暗く（画像濃度が濃く）なる箇所の両方を、良好に検知することができ好ましい。また、テストパターンを形成する記録シートの主走査方向長さは、本画像形成装置が形成可能な主走査方向の最大サイズ以上にし、テストパターン１７１を主走査方向に一杯に形成するのが好ましい。これにより、主走査方向端のほうに対しても補正がかかるようにすることができる。
【００４７】
このようなテストパターン１７１に主走査方向の濃度ムラがあると、副走査方向に延びる縦スジ、縦帯等が発生する。上記テストパターン１７１は、先の図７（ａ）に示した、第一光量補正値に基づいて、各ＬＥＤ素子７４ｂを制御して潜像を形成したものであり、図７（ｂ）に示したように、各ＬＥＤ素子７４ｂから感光体表面に照射される光量は、主走査方向でほぼ均一となっている。従って、主走査方向において、感光体表面は、ある電位にほぼ均一に減衰されるため、テストパターンの主走査方向の濃度ムラが、ＬＥＤアレイ７４とは別の要因を主要因とするものになる。
【００４８】
記録シートＳにテストパターン１７１を印刷したら、本体制御部５２は、画像形成装置の操作表示部８９などに、テストパターン１７１が形成された記録シートＳを画像読取部６０にセットして、テストパターン１７１の読み込みを指示する。作業者が、操作表示部の指示に基づいて、テストパターン１７１が形成された記録シートＳを画像読取部６０にセットして画像の読み込みを開始すると、本体制御部５２の画像濃度取得部８６において、画像濃度情報たる主走査方向の画像濃度データが取得される（Ｓ５）。そして、取得した画像濃度データは、記憶部８７に記憶される（Ｓ６）。
【００４９】
画像濃度取得部８６における画像濃度データの取得方法の一例としては、図８に示すように、テストパターン１７１を所定の面積（Ｘｄｏｔ×Ｙｄｏｔ）を有する複数のエリア１〜ｎに分割し、エリア１〜ｎ毎に平均濃度を取得する方法が挙げられる。
【００５０】
例えば、Ｘｄｏｔ＝１ｄｏｔとし、Ａ４サイズの記録シートＳの主走査方向（幅方向）の濃度データを６００ｄｐｉの解像度で取得する場合、２１０ｍｍ×（６００ｄｐｉ／２５．４ｍｍ）≒４９６０個分のエリアの画像濃度データが得られる。画像濃度データが８ｂｉｔ（０−２５５）で表現される場合、４９６０×８ｂｉｔ＝４．９６ｋＢｙｔｅの記憶容量が必要となる。Ｘｄｏｔ＝２ｄｏｔ又は４ｄｏｔとすれば、必要な記憶容量は１／２又は１／４となり、記憶部８７（図５参照）を安価に構成することができる。しかし、Ｘｄｏｔを大きくし過ぎると、広い面積の濃度が平均化されるため、濃度情報の精度が低下する。Ｘｄｏｔの値や、画像濃度データの解像度は、画像形成装置に応じて適宜決めればよい。例えば、Ｘｄｏｔの値は、主走査方向の濃度ムラが高周期の濃度ムラが支配的なのか、低周期の濃度ムラが支配的なのか把握した上で決めればよい。
【００５１】
一方、各エリア１〜ｎのＹｄｏｔの値は記憶容量に影響しないため、Ｙｄｏｔの値は対象となる画像形成装置において副走査方向（搬送方向）の濃度ムラ（感光体１の一回転周期、転写ローラ１０の一回転周期、現像ローラ８ａの一回転周期等に起因する周期的な濃度ムラ、又は非周期の濃度ムラ）を加味し、濃度の検出結果に大きな差が生じないように設定すればよい。しかしながら、Ｙｄｏｔの値が大き過ぎると濃度データの取得に時間がかかるため、Ｙｄｏｔの値は要求される精度とデータの取得時間（処理能力）とのバランスを考慮して決定するのが好ましい。
【００５２】
図６に示す主走査方向の濃度ムラ取得制御は、ユーザーやサービスマンにより任意のタイミング、感光体１や潜像書込装置７などの作像エンジンを構成する部材が交換されたタイミング、画像形成装置に電源投入されたタイミングなどで行う。電源投入の都度、実施することにより、常に主走査方向に濃度ムラのない画像を出力することができるという利点がある。一方で、本実施形態の濃度ムラ取得制御は、ユーザーが、テストパターン１７１が形成された記録シートＳを画像読取部６０にセットして、テストパターン１７１を読みこませるという作業が生じる。そのため、電源投入の都度、実施するのを、煩わしく感じるユーザーもいる。よって、電源投入時の濃度ムラ取得制御を実施しないようにユーザーが設定できるようにするのが好ましい。
【００５３】
図９は、本実施形態の画像形成処理の制御フロー図である。
図９に示すように、画像形成開始信号を、本体制御部５２が受信したら、まず、記憶部８７に記憶されている濃度データを読み出し、光量補正値算出部８８で読み出した濃度データに基づいて、第二光量補正値を算出する（Ｓ１１）。
【００５４】
図１０（ａ）は、記憶部８７に記憶されている濃度データの一例を示したグラフであり、図１０（ｂ）は、濃度データ（実線）と濃度平均値（破線）と第二光量補正値（一点鎖線）とを示したグラフである。図１０（ｂ）に示す、濃度平均値は画像濃度データが示す画像濃度の平均値を示している。
ＬＥＤアレイ以外の要因によって、図１０（ａ）に示すように主走査方向に濃度ムラが生じる。かかる主走査方向の濃度ムラは、作像エンジン（感光体１、帯電ローラ４、現像装置８、転写ローラ１０および定着装置４４）に起因する主走査方向の濃度ムラである。
【００５５】
図１０（ｂ）に示すように、第二光量補正値は画像濃度平均値（テストパターンの画像濃度の平均値）と画像濃度データが示す主走査方向各位置の画像濃度とに基づいて算出される。図１０（ｂ）に示すように、図中破線で示す画像濃度が薄い（明るい）位置については、その位置に対応するＬＥＤ素子７４ｂの発光光量が多くなるように補正し、平均濃度よりも濃い（暗い）位置については、その位置に対応するＬＥＤ素子の発光光量が少なくなるように補正する。具体的には、平均濃度よりも濃度が薄い（明るい）位置については、その位置に対応するＬＥＤ素子７４ｂに印加する駆動電力を増加させる補正値を求め、平均濃度よりも濃度が濃い（暗い）位置については、その位置に対応するＬＥＤ素子７４ｂに印加する駆動電力を減少させる補正値を求める。
【００５６】
このように、光量補正値算出部８８で第二光量補正値を算出したら、演算部８２で、画像形成に用いる第三光量補正値を演算する（図９のＳ１２）。具体的には、光量補正値算出部８８で算出した第二光量補正値と、第一光量補正値取得部８５で、ＬＥＤアレイ７４から取得した第一光量補正値とに基づいて、第三光量補正値を演算する。そして、演算した第三光量補正値を、補正値転送部８３によりＬＥＤアレイ７４のＩＣドライバ７４ａへ転送（Ｓ１３）する。補正値転送部８３によりＬＥＤアレイ７４のＩＣドライバ７４ａへ転送したら、画像データに基づいて、画像形成処理を行う（Ｓ１４）。この画像形成処理において、ＩＣドライバ７４ａは、補正値転送部８３から転送された第三光量補正値と、画像データとに基づいて、感光体表面に潜像を形成する。
【００５７】
図１１（ａ）は、第一光量補正値（破線）と第二光量補正値（一点鎖線）と第三光量補正値（実線）との関係を例示するグラフであり、図１１（ｂ）は、第三光量補正値に基づいてテストパターンの潜像を形成したときのテストパターンの濃度を示すグラフである。
図１１（ａ）に示すように、第三光量補正値は、第一光量補正値と第二光量補正値とを加算することにより演算される。なお、第三光量補正値の演算方法は、これに限られるものではなく、第一光量補正値及び第二光量補正値の演算方法により適宜決めればよい。
【００５８】
第三光量補正値は、ＬＥＤアレイ７４に起因する主走査方向の濃度ムラが補正される第一光量補正値と、作像エンジンに起因する主走査方向の濃度ムラが補正される第二光量補正値に基づいて演算されるものである。従って、かかる第三光量補正値に基づいて、画像形成された画像は、ＬＥＤアレイ７４および作像エンジンに起因する主走査方向の濃度ムラが抑制された画像となる。よって、第三光量補正値に基づいて、補正された光量で、潜像が形成された画像は、図１１（ｂ）に示すように主走査方向の濃度分布が均一な画像となり、縦スジや縦帯のない高品位な画像を得ることができる。
【００５９】
本実施形態においては、先の図６に示した主走査方向の濃度ムラ取得制御においては、テストパターン１７１の主走査方向の濃度ムラを取得して終了しているが、第二光量補正値の算出まで行ってもよい。第二光量補正値の算出まで行う場合、記憶部８７には、第二光量補正値が記憶される。また、主走査方向の濃度ムラ取得制御において、第三光量補正値まで演算してもよい。この第三光量補正値の演算まで行う場合は、記憶部８７に第三光量補正値が記憶される。また、この場合、画像形成時においては、ＬＥＤアレイから第一光量補正値を取得する必要がなく、記憶部８７に記憶された第三光量補正値を、ＬＥＤアレイ７４のＩＣドライバ７４ａに送信する。
【００６０】
また、テストパターン１７１の検知結果に基づいて、主走査方向の濃度ムラの補正が必要であるか否かを判断し、主走査方向の濃度ムラの補正が必要でないと判断した場合は、画像形成時において、第三光量補正値を算出せず、第一光量補正値に基づいて、ＬＥＤアレイ７４を制御してもよい。
【００６１】
また、ユーザーやサービスマンが、主走査方向の濃度ムラ補正後に出力された画像を見て、主走査方向の濃度ムラが改善されないと判断した場合や悪化していると判断した場合は、第三光量補正値を演算しないようにユーザーやサービスマンが設定できるようにしてもよい。第三光量補正値を演算しないようにユーザーやサービスマンが設定した場合は、例えば、記憶部８７に記憶されている濃度データを削除し、第一光量補正値に基づいて、ＬＥＤアレイ７４を制御するようにする。
【００６２】
また、第一光量補正値を用いずに、テストパターン１７１を形成し、ＬＥＤアレイ７４を起因とする主走査方向濃度ムラと、ＬＥＤアレイ以外を起因とする主走査方向濃度ムラとが重畳された主走査方向濃度ムラを読み取りデータから取得する。そして、ＬＥＤアレイ７４を起因とする主走査方向濃度ムラと、ＬＥＤアレイ以外を起因とする主走査方向濃度ムラとが重畳された主走査方向濃度ムラに基づいて第三光量補正値を算出してもよい。
【００６３】
しかし、第一光量補正値でＬＥＤアレイ７４に起因する主走査方向の濃度ムラを抑制したうえで、テストパターン１７１を形成し、テストパターン１７１からＬＥＤアレイ以外の要因による主走査方向の濃度ムラを取得するのが好ましい。これは、第一光量補正値を用いずに、テストパターン１７１を形成した場合、テストパターン１７１の主走査方向の濃度ムラは、ＬＥＤアレイ７４を起因とする主走査方向濃度ムラと、ＬＥＤアレイ以外を起因とする主走査方向濃度ムラとが重畳されたものになる。その結果、例えば、ＬＥＤアレイ７４に起因して濃度が濃くなる箇所と、ＬＥＤアレイ以外の要因で濃度が濃くなる箇所とが重なった場合、濃度の上限値に達してしまうおそれがある。具体的に説明すると、例えば、テストパターンを２５５階調の中間調（１２７階調）となる画像濃度で形成し、ＬＥＤアレイ７４に起因して７０階調分暗く（濃度が濃く）なる箇所と、ＬＥＤアレイ７４以外の要因で７０階調分暗く（濃度が濃く）なる箇所とが重なった場合、本来、１４０階調分暗く（濃度が濃く）なる箇所が、上限値（階調値０）に達してしまい、１２７階調分しか検知できないのである。よって、テストパターンの画像濃度データに基づいて算出した補正データで各ＬＥＤ素子の光量を補正しても、濃度ムラが残ってしまう。
【００６４】
一方で、本実施形態のように、第一光量補正値でＬＥＤアレイ７４に起因する主走査方向の濃度ムラを抑制したうえで、テストパターン１７１を形成することで、テストパターン１７１の主走査方向の濃度ムラを抑えることができ、濃度が上限値に達するなどの不具合が生じるのを抑制することができる。これにより、良好に主走査方向の濃度ムラを抑制することができるという利点がある。
【００６５】
図１２は、変形例の主走査方向濃度ムラ補正制御の制御フロー図であり、図１２（ａ）は、主走査方向濃度ムラ取得制御のフロー図であり、図１２（ｂ）は画像形成時の制御フロー図である。
この変形例は、まず、図１２（ａ）に示すように、実施形態と同様にして、第一光量補正値に基づいて形成されたテストパターン１７１の濃度データ（第一の濃度データ）を記憶部８７に記憶する（Ｓ２１〜Ｓ２５）。次に、実施形態と同様に、第一の濃度データに基づいて算出した第二光量補正値と、第一光量補正値とに基づいて第三光量補正値を演算する（Ｓ２６〜Ｓ２７）。次に、この演算された第三光量補正値に基づいて、再度、記録シートにテストパターン１７１を形成し、この記録シートＳに形成されたテストパターン１７１を画像読取部６０で読み取って、第二の濃度データを、記憶部８７に記憶する（Ｓ２８〜Ｓ３１）。
【００６６】
画像形成時においては、まず、記憶部８７に記憶されている第一の濃度データに基づいて、第二光量補正値を算出する（Ｓ４１）。次に、記憶部８７に記憶されている第二の濃度データに基づいて、第四光量補正値を算出する（Ｓ４２）。次に、演算部８２で、第一光量補正値と、第二光量補正値と、第四光量補正値とを加算して第五光量補正値を算出する（Ｓ４３）。そして、この第五光量補正値に基づいて、画像を形成する（Ｓ４４〜Ｓ４５）。
【００６７】
この変形例では、第三光量補正値では、除去しきれなかった主走査方向の濃度ムラも抑制することができ、更なる主走査方向の濃度ムラの改善を図ることができる。
【００６８】
次に、本実施形態の特徴点について説明する。
従来においては、テストパターン１７１が形成される位置などが同一であるため、複数のテストパターンが形成された記録シートＳが手元にある場合、どの記録シートが、今回の主走査方向濃度ムラ補正制御で出力されたものなのか判別がつかなくなり、過去の主走査方向濃度ムラ補正制御で出力された記録シートＳを、画像読取部６０にセットするおそれがあった。また、図１２に示した変形例の主走査方向濃度ムラ補正制御では、２回、テストパターンが形成された記録シートＳを出力し、２回光量補正を行うため、２回目のテストパターンの読取において、１回目に出力された記録シートをセットしまうおそれが高い。
このように、今回、読み取るべきテストパターンとは、別のテストパターンを読み取ってしまうと、誤った光量補正がなされ、画質が悪化するおそれがあった。
【００６９】
そこで、本実施形態では、テストパターンがどのタイミングで形成されたものであるのかが、ユーザーが、テストパターンが形成された記録シートＳからわかるようにし、間違った記録シートＳが画像読取部６０にセットされるのを抑制できるようにした。以下、実施例として、具体的に説明する。
【００７０】
［実施例］
図１３は、実施例に係る電気回路の一部を示すブロック図である。
図１３に示すように、実施例１においては、先の図５に示したブロック図に対して、カウンター、シート判定部が追加されている。カウンターは、画像の最適化処理である主走査方向濃度ムラ取得制御が実行されるとカウントアップされるものである。シート判定部は、画像読取部にセットされた記録シートが、今回セットされるべき記録シートであるか否かを判定するものである。
【００７１】
図１４は、実施例に係る主走査方向の濃度ムラ取得制御の制御フロー図である。
まず、ユーザーが操作表示部８９を操作して、主走査方向濃度ムラ取得制御が実行されると、カウンター９０のカウント値がカウントアップする（Ｓ５１）。この実施例では、主走査方向濃度ムラ取得制御開始時にカウンター９０のカウント値がカウントアップされるが、主走査方向濃度ムラ取得制御終了時にカウンター９０のカウント値がカウントアップされるようにしてもよい。
【００７２】
次に、上述と同様にして、第一光量補正値を取得（Ｓ５２）し、取得した第一光量補正値を、補正値転送部８３によりＬＥＤアレイ７４のＩＣドライバ７４ａへ転送する（Ｓ５３）。また、カウンター９０から、カウント値を取得（Ｓ５４）し、第一光量補正値に基づいて各ＬＥＤ素子７４ｂを制御し、感光体１の表面にテストパターンの潜像と、カウント値の潜像を感光体１に形成する（Ｓ５５）。その後、テストパターンと、カウント値が形成された記録シートＳが排出され、操作表示部８９などに、テストパターン１７１が形成された記録シートＳを画像読取部６０にセットして、テストパターン１７１の読み込みを行なうよう指示をする。
【００７３】
図１５は、記録シートＳにテストパターンとカウント値とを形成した一例を示す図である。
図１５に示すように、記録シートＳの規定の位置に、主走査方向（幅方向）の全てに均一なハーフトーンの画像からなるテストパターン１７１と、画像の最適化処理を行う毎に変化する特徴部としてのカウント値（数字）１７４が印字される。本実施形態では、記録シートの右隅にカウント値１７４が印字されているが、これに限られるものではない。
【００７４】
このように、記録シートに、カウント値１７４が印字されることで、テストパターンが形成された記録シートが複数手元にあっても、印字された数字の最も大きいものが、今回の制御で出力された記録シートであることをユーザーは、判別することができる。これにより、過去の制御で出力された記録シートが誤って画像読取部６０にセットされるのを抑制することができる。
【００７５】
また、操作表示部８９に、数字Ｘ（カウンター９０のカウント値）が印字されたテストパターンが形成された記録シートを画像読取部６０にセットするように指示してもよい。これにより、ユーザーが、過去の制御で出力された記録シートを誤って画像読取部６０にセットするのをより一層抑制することができる。
【００７６】
作業者が、操作表示部８９の指示に基づいて、テストパターン１７１とカウント値とが形成された記録シートＳを画像読取部６０にセットして画像の読み込みを開始すると、本体制御部５２の画像濃度取得部８６において、画像濃度情報たる主走査方向の画像濃度データが取得される。また、シート判定部９１において、文字認識処理により記録シートに印字された数字が取得される（Ｓ５８）。次に、シート判定部９１は、取得した数字と、カウンター９０のカウント値とを比較して、取得した数字とカウンター９０のカウント値が一致しているか否かをチェックする（Ｓ５９）。
【００７７】
数字とカウンターのカウント値が一致していないとき（Ｓ５９のＮｏ）は、不適切なシートがセットされた旨を操作表示部８９に表示し（Ｓ５７）、数字Ｘ（カウンターのカウント値）が印字されたテストパターンが形成された記録シートを画像読取部にセットするように指示して、画像の読み込みの開始を待つ。
一方、数字とカウンターのカウント値が一致しているとき（Ｓ５９のＹｅｓ）は、取得した画像濃度データを、記憶部８７に記憶し（Ｓ６０）、主走査方向の濃度ムラ取得制御の制御が終了して、通常の画像形成モードに戻る。
これにより、過去の露光値補正制御で使用されたテストパターンの濃度データが、誤って記憶部に記憶されるのを防止することができる。よって、記憶部８７に記憶された濃度データから、精度よく第二光量補正値を算出することができ、主走査方向の濃度ムラを良好に抑制することができる。
【００７８】
また、この実施例では、今回の補正値算出に用いるべきテストパターンが形成された記録シートでない場合、操作表示部にその旨を表示し、ユーザーに報知しているが、報知手段としてのスピーカで、音声でユーザーに報知してもよい。また、報知手段としての警告ランプを点灯させて、ユーザーに報知してもよい。
【００７９】
また、この実施例では、特徴部として、このカウンターのカウント値を用いているが、これに限られない。
例えば、画像の最適化処理を行う毎に変化する特徴部として、日時を用いてもよい。具体的には、時計部を設け、主走査方向濃度ムラ取得制御が開始されたときの日時を記憶し、記憶された日時を、テストパターンとともに記録シートに形成する。シート判定部９１は、記憶された日時と、画像読取部６０で読み取った画像データから取得した日時とを比較し、セットされた記録シートが適切か否かを判定する。
【００８０】
また、カウンターのカウント値や、主走査方向濃度ムラ取得制御が開始されたときの日時情報などをコード化した画像を特徴部としてテストパターンとともに記録シートに形成してもよい。上記コード化した画像としては、図１６に示すバーコード１７２や図１７に示すＱＲコード１７３が挙げられる。なお、バーコードやＱＲコードは、主走査方向濃度ムラ取得制御を行う毎に変化するが、その変化は、作業者からは判別が困難であるため、図１６、図１７に示すように、カウント値など、作業者が判別な特徴部も印字するのが好ましい。
【００８１】
シート判定部９１は、画像読取部６０で読み取ったバーコード１７２やＱＲコード１７３などのコード化した画像から、カウンターのカウント値や主走査方向濃度ムラ補正が開始されたときの日時情報などを取得して、セットされた記録シートが適切か否かを判定する。このような、バーコード１７２やＱＲコード１７３などのコード化した画像を形成することで、文字認識からカウンターのカウント値や日時情報を取得する場合に比べて、良好に、カウンターのカウント値や日時情報を取得することができる。
【００８２】
また、図１８に示すように、主走査方向濃度ムラ取得制御を行う毎にテストパターンの副走査方向（図中ｙ方向）の形成位置を変更してもよい。例えば、１回目の主走査方向濃度ムラ補正のときは、図１８（ａ）に示すｙ０の位置にテストパターンを形成し、２回目の主走査方向濃度ムラ補正のときは、図１８（ｂ）に示すｙ１の位置にテストパターンを形成する。３回目の主走査方向濃度ムラ補正のときは、図１８（ａ）、（ｂ）に示す位置とは異なるｙ２の位置にテストパターンを形成する。ユーザーは、主走査方向濃度ムラ取得制御を行う毎に変化する特徴部としてのテストパターンの形成位置から、過去のものか今回のものかを判別することができる。
テストパターンの形成位置ｙ０、ｙ１、ｙ２・・・・ｙｘまで達したら、テストパターンの形成位置をｙ０に戻し、テストパターンの形成位置をループさせる。
【００８３】
また、画像読取部６０に記録シートのセットを指示する旨とともに、セットする記録シートのテストパターンの形成位置を、操作表示部で知らせるようにしてもよい。また、シート判定部９１は、テストパターンの形成位置から、セットされた記録シートが適切か否かを判定することができる。
【００８４】
また、テストパターンに副走査方向に延びる横筋状の濃度ムラであるショックジターが生じることがある。このショックジターは、例えば、記録シートＳが記録シートを搬送する搬送部材から抜けたり、搬送部材へ突入したりするタイミングにより発生する振動で起こることがあり、記録シートが搬送部材を抜けるタイミングや突入するタイミングが一定であるため、記録シートの副走査方向の規定の位置でショックジターが生じる。テストパターンの形成位置が常に同じである場合、ショックジターの発生位置とテストパターンの形成位置とが同じであると、テストパターンには、常にショックジターが生じた状態となってしまい、精度よく第二光量補正値を算出することができないおそれがある。これに対し、主走査方向濃度ムラ取得制御を行う毎にテストパターンの副走査方向（図中ｙ方向）の形成位置を変更することで、１回目の主走査方向濃度ムラ補正時において、テストパターンにショックジターが生じた場合、再度、主走査方向濃度ムラ取得制御を実行することで、テストパターンにショックジターが生じなくできる。これにより、精度よく第二光量補正値を算出することができ、主走査方向の濃度ムラを良好に抑制することができる。
【００８５】
また、主走査方向濃度ムラ取得制御を行う毎にテストパターンの副走査方向（図中ｙ方向）の形成位置を変更することで、テストパターンが形成された記録シートを、複数回、主走査方向濃度ムラ取得制御で用いることができる。すなわち、補正を行うとき、前回の取得制御に用いた記録シートを手差しトレイにセットし、この記録シートに、再度、テストパターンを形成する。今回の取得制御時のテストパターンの副走査方向の位置は、前回とは異なる位置であり、テストパターンが重なることがない。よって、前回の取得制御に用いた記録シートを再利用しても、精度よく第二光量補正値を算出することができ、主走査方向の濃度ムラを良好に抑制することができる。また、記録シートの無駄を抑制することができる。
【００８６】
また、テストパターンの副走査方向の形成位置を変更するともに、ＱＲコードやバーコードなどのコード化画像や、カウント値も記録シートに形成するようにしてもよい。
【００８７】
この実施例では、主走査方向の濃度ムラ取得制御が、画像の最適化処理に該当する。また、この実施例では、画像の最適化処理としての主走査方向の濃度ムラ取得制御は、テストパターン１７１の主走査方向の濃度ムラを取得して終了しているが、第二光量補正値の算出まで行ってもよい。この場合は、第二光量補正値が記憶部に記憶されたら、画像の最適化処理である主走査方向の濃度ムラ取得制御が終了する。また、主走査方向の濃度ムラ取得制御で、第三光量補正値まで演算してもよい。この場合、第三光量補正値が記憶部に記憶されたら、画像の最適化処理である主走査方向の濃度ムラ取得制御が終了する。画像の最適化処理である主走査方向の濃度ムラ取得制御は、画像読取部６０でテストパターンが読み込まれた後、通常の画像形成モードに移行した時点で、終了したことを判断することができる。
【００８８】
また、実施例では、画像の最適化処理としての主走査方向の濃度ムラ取得制御毎に特徴部（カウンタ値、日時情報、コード化画像、テストパターンの副走査方向の形成位置）を変化させているが、テストパターンの形成毎に特徴部を変化させてもよい。例えば、画像形成処理部８４でテストパターンの形成が行われる際に、カウンター９０のカウント値がカウントアップされるようにし、テストパターンが形成される毎にカウント値をアップするようにする。これにより、記録シートに印字されるカウント値１７４を、テストパターンが形成される毎に変化する特徴部とすることができる。
【００８９】
特に、特徴部として、テストパターンの副走査方向の形成位置を用いた場合において、テストパターンが形成される毎に変化させるのが好ましい。これは、主走査方向の濃度ムラ取得制御毎にテストパターンの副走査方向の形成位置を変化させる場合、テストパターンにショックジターが生じたとき、このショックシターが生じているテストパターンを画像読取部で読取処理して濃度ムラ取得制御を一回終了させないと、テストパターンの副走査方向の形成位置が変化しない。一方、テストパターンが形成される毎にテストパターンの副走査方向の形成位置を変更する場合は、テストパターンにショックジターが生じているとき、テストパターンを画像読取部で読取処理することなく、再度、テストパターンの形成を行うことで、テストパターンの副走査方向の形成位置が変化し、ショックジターが生じていないテストパターンを得ることができる。これにより、作業を簡素化することができるという利点が生じるからである。
【００９０】
以上に説明したものは一例であり、次の態様毎に特有の効果を奏する。
（態様１）
記録シートＳなどの記録媒体上に画像を形成する画像形成手段（本実施形態では、感光体１、帯電ローラ４、潜像書込装置７、現像装置８、転写ローラ１０、定着装置４４などで構成）と、記録媒体上に形成された画像を読み取る画像読取部６０などの読取手段と、画像形成手段により記録媒体に形成されたテストパターンを読取手段により読み取り、読み取ったテストパターンの画像データに基づいて画像を最適化するための所定の補正値を算出する補正値算出手段（本実施形態では、光量補正値算出部８８および演算部８２などで構成）と、を有する画像形成装置において、前記テストパターンを含む画像は、前記テストパターンが形成される毎または前記画像の最適化処理を行う毎に変化する特徴部（本実施形態では、カウンタ値、日時情報、コード化画像、テストパターンの副走査方向の形成位置）を有する。
これによれば、ユーザーは、テストパターンが形成された記録媒体が、今回の補正値算出のために出力したものなのか、過去の補正値算出に用いたものなのかを特徴部から把握することができる。これにより、過去の補正値算出に用いたテストパターンが形成された記録媒体が、読取手段に誤ってセットされるのを抑制することができる。
【００９１】
（態様２）
態様１において、テストパターンを含む画像の画像データに基づいて、今回の補正値算出に用いるべきテストパターンが形成された記録シートＳなどの記録媒体が、画像読取部６０などの読取手段にセットされたか否かを判断し、今回の補正値算出に用いるべきテストパターンが形成された記録媒体でない場合は、今回の補正値算出に用いるべきテストパターンが形成された記録媒体が、読取手段にセットされていない旨をユーザーに報知する報知手段（本実施形態では、操作表示部８９、スピーカ、警告ランプ等が該等）を備えた。
これによれば、過去の補正値算出で用いた不適切な記録シートのテストパターンに基づいて、補正値が算出されるのを防止することができる。また、ユーザーに適切な記録シートを読取手段にセットさせることができる。
【００９２】
（態様３）
態様２において、
前記特徴部が、前記テストパターンが形成されたタイミングを示す情報（カウント値や日時情報）をコード化した画像（バーコードやＱＲコード）である。
これにより、読取手段でコード化した画像を読み取ることで、今回の補正値算出でセットされるべき適切な記録シートか否かの判定を行うことができる。
【００９３】
（態様４）
態様１乃至３いずれかにおいて、特徴部が、前記テストパターンの形成回数または前記画像の最適化処理の回数を示す数字を含む。
これによれば、図１５に示すように、テストパターンの形成回数または画像の最適化処理の回数から、最も数字の大きいものが、今回の最適化処理で出力したものであることを、容易に把握することができる。
【００９４】
（態様５）
態様１乃至４いずれかにおいて、特徴部が、前記テストパターンの形成位置を含む。
これによれば、図１８に示すように、テストパターンの形成位置から、今回の最適化処理で出力したものであるか否かを判別することができる。また、テストパターンが形成された記録媒体に、再度、テストパターンを形成することが可能となり、再利用することができる。
【００９５】
（態様６）
態様５において、前記テストパターンの形成位置が、前記テストパターンの副走査方向の位置である
これによれば、前回、テストパターンにショックジターが生じた場合、再度、最適化処理またはテストパターンの形成を行うことで、ショックジターが生じていないテストパターンを形成することができる。
【００９６】
（態様７）
態様１乃至６いずれかにおいて、画像形成手段は、感光体１などの潜像担持体の表面を露光して前記潜像担持体に潜像を形成する潜像書込装置７などの潜像形成手段と、前記潜像を現像する現像装置８などの現像手段と、前記現像手段により現像された画像を、搬送手段により搬送されてきた記録媒体に転写する転写ローラ１０などの転写手段とを備え、前記補正値算出手段は、読み取った前記テストパターンの画像データに基づいて前記露光の光量を補正する露光補正値を算出する。
これによれば、実施形態で説明したように、精度の高い露光量補正値を算出することができ、主走査方向の画像濃度ムラを良好に抑えることができる。
【符号の説明】
【００９７】
１        ：感光体
４        ：帯電ローラ
７        ：潜像書込装置
８        ：現像装置
１０      ：転写ローラ
４４      ：定着装置
５２      ：本体制御部
６０      ：画像読取部
７４      ：ＬＥＤアレイ
７４ａ    ：ＩＣドライバ
７４ｂ    ：ＬＥＤ素子
７４ｃ    ：ＲＯＭ
８２      ：演算部
８３      ：補正値転送部
８４      ：画像形成処理部
８５      ：第一光量補正値取得部
８６      ：画像濃度取得部
８７      ：記憶部
８８      ：光量補正値算出部
８９      ：操作表示部
９０      ：カウンター
９１      ：シート判定部
１７１    ：テストパターン
１７２    ：バーコード
１７３    ：ＱＲコード
１７４    ：カウント値
Ｓ        ：記録シート
【先行技術文献】
【特許文献】
【００９８】
【特許文献１】特開２０１５−８５５２５号公報
【図１】
2019124893.tif 000003
【図２】
2019124893.tif 000004
【図３】
2019124893.tif 000005
【図４】
2019124893.tif 000006
【図５】
2019124893.tif 000007
【図６】
2019124893.tif 000008
【図７】
2019124893.tif 000009
【図８】
2019124893.tif 000010
【図９】
2019124893.tif 000011
【図１０】
2019124893.tif 000012
【図１１】
2019124893.tif 000013
【図１２】
2019124893.tif 000014
【図１３】
2019124893.tif 000015
【図１４】
2019124893.tif 000016
【図１５】
2019124893.tif 000017
【図１６】
2019124893.tif 000018
【図１７】
2019124893.tif 000019
【図１８】
2019124893.tif 000020